(57)【要約】【課題】  高齢者や子供にとって操作が容易であり、しかも、適時に監視者と被監視者とのどちらからでも監視モードをアクティブにでき、顔の表情や姿を見ながら会話をすることができる。【解決手段】  被監視者側に、被監視者側携帯電話機１１のディスプレイＤとは別に設けられた監視者側携帯電話機１１からの動画を表示する外付けディスプレイ２２と、被監視者側携帯電話機２１のマイクロフォンＭとは別に設けられた入力された音声を監視者側携帯電話機１１に送る外付けマイクロフォン２３１、被監視者側携帯電話機２１のスピーカＳとは別に設けられた監視者側端末機器からの音声を音声出力する外付けスピーカ２４０、および監視モードアクティブ化信号を発生し監視モードアクティブ化信号を被監視者側携帯電話機２１に送出し被監視者側携帯電話機２１を監視モードで動作させるスイッチを備えた操作ボックス２３とを備える。【選択図】  図１
2007027911.tif 000002
【特許請求の範囲】
【請求項１】
テレビ電話モードで動作できる監視者側端末機器と、監視モードで動作できる被監視者側携帯電話機とが、携帯電話通信回線を介して接続されるインタラクティブ監視システムであって、
被監視者側に、
前記被監視者側携帯電話機のマイクロフォンとは別に設けられた入力された音声を前記被監視者側携帯電話機を介して前記監視者側端末機器に送る外付けマイクロフォン、および監視モードアクティブ化信号を発生し前記監視モードアクティブ化信号を送出し前記被監視者側携帯電話機を監視モードで動作させるスイッチを備えた操作ボックスと、
を備えたことを特徴とするインタラクティブ監視システム。
【請求項２】
前記被監視者側携帯電話機のスピーカとは別に設けられた前記監視者側端末機器からの音声を前記被監視者側携帯電話機を介して音声出力する外付けスピーカと、
前記監視者側端末機器からの音声にかかる信号を前記被監視者側携帯電話機から受け取りこれを増幅して前記外付けスピーカに送出する音声信号増幅器、
を内蔵したインタフェースボックスを備えたことを特徴とする請求項１に記載のインタラクティブ監視システム。
【請求項３】
前記被監視者側携帯電話機のディスプレイとは別に設けられた前記監視者側端末機器からの動画を前記被監視者側携帯電話機を介して表示する外付けディスプレイと、
前記監視者側端末機器からの動画にかかる信号を前記被監視者側携帯電話機から受け取り、これを増幅して前記外付けディスプレイに送出する動画信号増幅器と、
を備えたことを特徴とする請求項１または２に記載のインタラクティブ監視システム。
【請求項４】
前記インタフェースボックスに、前記被監視者側携帯電話機を設置するためのホルダーを備えたことを特徴とする請求項１または２に記載のインタラクティブ監視システム。
【請求項５】
前記監視者側端末機器が前記監視者側携帯電話機であるインタラクティブ監視システムであって、
監視者側に、
前記監視者側携帯電話機のディスプレイとは別に設けられ、前記被監視者側携帯電話機からの動画を前記監視者側携帯電話機を介して表示する外付けディスプレイを備えた、
ことを特徴とする請求項１から３の何れかに記載のインタラクティブ監視システム。
【発明の詳細な説明】
【技術分野】
【０００１】
本発明は、テレビ電話モードで動作できる監視者側端末機器と監視モードで動作できる被監視者側携帯電話機とが、携帯電話通信回線を介して接続される監視・通信技術に関し、システムが低コストで構築可能であり、特に被監視者が高齢者や子供である場合に被監視者側での操作が極めて簡単なインタラクティブ監視システムに関する。
【背景技術】
【０００２】
従来、人の動向等を監視するシステムとして、（Ａ）複数（通常、２台）の汎用コンピュータを利用したものや、（Ｂ）専用ハードウェアと携帯電話機とを利用したものが知られている。
【０００３】
（Ａ）の汎用コンピュータを利用した監視システムでは、監視者側のコンピュータにテレビカメラおよびマイクをセットしておき、被監視者側のコンピュータのカメラにより撮影した画像や、マイクにより取得した音声を監視者側のコンピュータにインターネットを介して送信する。この監視システムはコンピュータを使用していることから高いパフォーマンスのＣＰＵ、大容量の記憶装置を使用することができるので拡張性に優れている。
【０００４】
（Ｂ）の専用ハードウェアと携帯電話機とを利用した監視システムでは、専用ハードウェアに備えられたカメラにより撮影された画像（または、さらに音声）を携帯電話機に送信して遠隔監視を行う。この監視システムは、被監視者側で電源スイッチをオンすることで専用ハードウェアが起動できるが、さらに携帯電話機側から起動等できるものもある。また比較的安価にシステムを構築できる。
【発明の開示】
【発明が解決しようとする課題】
【０００５】
しかし、上述した（Ａ）の監視システムは、被監視者側での操作が必要となる。すなわち、監視システムをアクティブにするために被監視者側でコンピュータを起動し、表示画面から監視プログラムを起動しなくてはならず、コンピュータの扱いに不慣れな高齢者や子供には取り扱いが容易ではないという問題がある。また、機器費用（主としてコンピュータの価格）が高く、場合によっては工事が必要となるため設置が煩わしいうえにさらに工事価格が追加されるという問題もある。
【０００６】
また、上述した（Ｂ）の監視システムは、被監視者側で電源スイッチをオンする場合に、高齢者や子供であっても容易に操作ができるといった利点があるが、画像や音声は被監視者側の専用ハードウェアから監視者側の携帯型電話に送られるのみで、インタラクティブな送受信（監視者と被監視者との相互の意思伝達）ができないという問題がある。
さらに、上述した（Ａ），（Ｂ）の監視システムでは、監視者と被監視者との間で、顔の表情や姿を見ながらインタラクティブなやりとりをすることができないため、単なる監視の域を超えることできないという問題がある。
【０００７】
上述した監視システムを、高齢者や子供の通信手段に応用することも考えられるが、上述したように、（Ａ）の監視システムでは操作が容易ではなく、（Ｂ）の監視システムではインタラクティブなやり取りができないという問題もある。
【０００８】
本発明の目的は、被監視者側では簡単な操作により監視システムを必要時にアクティブにでき、また監視者側からも監視システムを必要時にアクティブにでき、さらに監視者と被監視者とがリアルタイムで顔を見ながら会話ができるインタラクティブ監視システムを提供することにある。
【課題を解決するための手段】
【０００９】
本発明のインタラクティブ監視システムは、
テレビ電話モードで動作できる監視者側端末機器と、監視モードで動作できる被監視者側携帯電話機とが、携帯電話通信回線を介して接続されるインタラクティブ監視システムであって、
被監視者側に、
前記被監視者側携帯電話機のマイクロフォンとは別に設けられた入力された音声を前記被監視者側携帯電話機を介して前記監視者側端末機器に送る外付けマイクロフォン、および監視モードアクティブ化信号を発生し前記監視モードアクティブ化信号を送出し前記被監視者側携帯電話機を監視モードで動作させるスイッチを備えた操作ボックスと、
を備えたことを特徴とする。
【００１０】
本発明のインタラクティブ監視システムでは、前記被監視者側携帯電話機のスピーカとは別に設けられた前記監視者側端末機器からの音声を前記被監視者側携帯電話機を介して音声出力する外付けスピーカと、
前記監視者側端末機器からの音声にかかる信号を前記被監視者側携帯電話機から受け取りこれを増幅して前記外付けスピーカに送出する音声信号増幅器、
を内蔵したインタフェースボックスを備えることができる。
【００１１】
本発明のインタラクティブ監視システムでは、前記被監視者側携帯電話機のディスプレイとは別に設けられた前記監視者側端末機器からの動画（映像）を前記被監視者側携帯電話機を介して表示する外付けディスプレイと、前記監視者側端末機器からの動画にかかる信号を前記被監視者側携帯電話機から受け取り、これを増幅して前記外付けディスプレイに送出する動画信号増幅器とを備えることができる。
【００１２】
本発明のインタラクティブ監視システムでは、前記操作ボックスまたは前記インタフェースボックスの何れかに、前記被監視者側携帯電話機を設置するためのホルダーを備えることができる。
【００１３】
本発明のインタラクティブ監視システムでは、前記監視者側端末機器が前記監視者側携帯電話機である場合には、監視者側に、前記監視者側携帯電話機のディスプレイとは別に設けられ、前記被監視者側携帯電話機からの動画を、前記監視者側携帯電話機を介して表示する外付けディスプレイを備えることができる。
【発明の効果】
【００１４】
本発明のインタラクティブ監視システムは、高齢者や子供にとって操作が容易であり、しかも、監視者と被監視者（高齢者や子供）とが顔の表情や姿を見ながら会話をすることができる。したがって、単なる監視であってはならない、高齢者の介護や、子供の保育に好適である。
【００１５】
本発明のインタラクティブ監視システムは、監視者が必要時に監視モードをアクティブにできることはもちろん、被監視者も必要時に監視モードをアクティブにできる。また、監視者と顔や姿を見ながらリアルタイムでの会話ができるので、高齢者の介護や子供の保育に好適である。
【発明を実施するための最良の形態】
【００１６】
図１は本発明のインタラクティブ監視システム（以下、単に「監視システム」と言う）の第１実施形態を示す構成図、図２は図１の監視システムの被監視者側携帯電話機とインタフェースボックスとを示す部分図である。
図１の監視システム１ａでは、テレビ電話モードで動作できる監視者側端末機器（図１では監視者側携帯電話機）１１と、監視モードで動作できる被監視者側携帯電話機２１とが、携帯電話回線２００を介して接続されている。
【００１７】
被監視者側Ｂは、被監視者側携帯電話機２１と、操作ボックス２３と、インタフェースボックス２４とにより構成されている。
【００１８】
図１では、操作ボックス２３には、外付けマイクロフォン２３１と、スイッチ２３３が設けられている。
外付けマイクロフォン２３１は、被監視者側携帯電話機２１のマイクロフォンＭとは別に設けられ、入力された音声を被監視者側携帯電話機２１を介して監視者側携帯電話機１１に送ることができる。
【００１９】
スイッチ２３３は、オンされると監視モードアクティブ化信号ＳＤＣ（図３参照）を発生して被監視者側携帯電話機１２に送出し、被監視者側携帯電話機１２を監視モードで動作させることができる。なお、スイッチ２３３は、ボタンスイッチ、タッチパネルスイッチ、ボイススイッチ（音声により動作するスイッチ）等、その機能には限定されない。
【００２０】
インタフェースボックス２４は、外付けスピーカ２４０と、音声信号入力端子ｓ２と、音声信号出力端子ｓ４と、端子ｃｃとを備えている。
【００２１】
外付けスピーカ２４０は、被監視者側携帯電話機２１のスピーカＳとは別に設けられたもので、監視者側携帯電話機１１からの音声を被監視者側携帯電話機２１を介して音声出力することができる。なお、外付けスピーカ２４０は、携帯電話機のスピーカよりも大出力のものが使用される。
【００２２】
インタフェースボックス２４は、図３に示すように動画信号増幅器２４１と音声信号増幅器２４２とを内蔵している。
【００２３】
音声信号増幅器２４２は、音声信号（被監視者側携帯電話機１２が監視者側携帯電話機１１から受信した音声信号）Ｐ１を音声信号入力端子ｓ２を介して被監視者側携帯電話機１２から受け取り、これを増幅して外付けスピーカ２４０に送出する。
【００２４】
なお、外付けマイクロフォン２３１からの音声信号は操作ボックス２３の端子ｄｄ、インタフェースボックス２４の端子ｃｃおよび音声出力端子ｓ４を介して被監視者側携帯電話機１２の音声信号入力端子ｓ３に送出される。
【００２５】
また、インタフェースボックス２４には、被監視者側携帯電話機２１を設置するためのホルダーＨが備えられている。ホルダーＨには、電源端子ｐおよび監視モード動作端子ｑ（図２参照）が設けられている。
【００２６】
電源端子ｐは被監視者側携帯電話機２１にＤＣ電源２４３が発生する直流電力を供給することができる。監視モード動作端子ｑは、スイッチ２３３からの被監視者側携帯電話機２１に監視モードアクティブ化信号ＳＤＣ（図３参照）を渡すことができる。
【００２７】
なお、インタフェースボックス２４にはコンセント２４４、商用電源からの交流電力が供給される。供給された交流電力はＤＣ電源２４３（図３参照）により直流電力に変換される。この直流電力は、被監視者側携帯電話機２１に、電源端子ｐを介して適宜定格で供給されるほか、動画信号増幅器２４１および音声信号増幅器２４２に適宜定格で供給され、さらに操作ボックス２３に供給される。
【００２８】
図３により、監視システム１ａの動作を説明する。
被監視者側携帯電話機２１が監視者側携帯電話機１１からの着信を受けたときは、被監視者側携帯電話機２１は監視モードで動作する。
また、被監視者側携帯電話機２１は、端子ｄｄ，ｃｃ、監視モード動作端子ｑを介してスイッチ２３３から監視モードアクティブ化信号ＳＤＣを受け取ったときは、監視者側携帯電話機１１に発呼するとともに監視モードで動作する。
【００２９】
監視モードでの動作に際し、被監視者側携帯電話機２１は、外付けマイクロフォン２３１からの音声信号Ｐ２を端子ｄｄ，ｃｃ、音声信号出力端子ｓ４、音声信号入力端子ｓ３を介して受け取り、これを監視者側携帯電話機１１に送出するとともに、搭載したカメラＣからの動画信号Ｇ２を監視者側携帯電話機１１に送出する。
【００３０】
また、被監視者側携帯電話機２１は、受信した監視者側携帯電話機１１からの音声信号Ｐ１を、音声信号出力端子ｓ１、音声信号入力端子ｓ２を介して外付けスピーカ２４０に送出する。
【００３１】
図４は本発明のインタラクティブ監視システム（以下、単に「監視システム」と言う）の第２実施形態を示す構成図、図５は図４の監視システムの被監視者側携帯電話機とインタフェースボックスとを示す部分図である。
図４の監視システム１ｂでは、テレビ電話モードで動作できる監視者側端末機器（図１では監視者側携帯電話機）１１と、監視モードで動作できる被監視者側携帯電話機２１とが、携帯電話回線２００を介して接続されている。
【００３２】
本実施形態では、監視者側Ａは監視者側携帯電話機１１と外付けディスプレイ１２により構成されている。外付けディスプレイ１２は、監視者側携帯電話機１１のディスプレイＤとは別に設けられるもので、被監視者側携帯電話機２１からの動画を監視者側携帯電話機１１を介して拡大して表示することができる。図１では、外付けディスプレイ１２は増幅回路を内蔵したアダプタ１３を介して監視者側携帯電話機１１に接続されている。
【００３３】
なお、監視者側携帯電話機１１に代えて、テレビ電話機能をもつコンピュータを使用することもできる。
【００３４】
本実施形態において、被監視者側Ｂは、被監視者側携帯電話機２１と、外付けディスプレイ２２と、操作ボックス２３と、インタフェースボックス２４とにより構成されている。本実施形態における被監視者側Ｂは、外付けディスプレイ２２が設けられている点で、第１実施形態における被監視者側Ｂの構成と異なっている。
【００３５】
外付けディスプレイ２２は、被監視者側携帯電話機２１のディスプレイＤとは別に設けられ、監視者側携帯電話機１１からの動画を被監視者側携帯電話機２１を介して表示することができる。
【００３６】
図４では、操作ボックス２３には、外付けマイクロフォン２３１と、スイッチ２３３が設けられている。操作ボックス２３の構成は第１実施形態のものと同じであるので説明は省略する。
【００３７】
インタフェースボックス２４は、外付けスピーカ２４０と、動画信号入力端子ｖ２と、動画信号出力端子ｖ３と、音声信号入力端子ｓ２と、音声信号出力端子ｓ４と、端子ｃｃとを備えている。
本実施形態のインタフェースボックス２４は、動画信号入力端子ｖ２と、動画信号出力端子ｖ３とがさらに設けられている以外、第１実施形態のインタフェースボックス２４と同じである。以下、第１実施形態と異なる構成についてのみ説明する。
【００３８】
外付けディスプレイ２２は動画信号出力端子ｖ３に接続され、被監視者側携帯電話機２１の動画信号出力端子ｖ１は動画信号入力端子ｖ２に接続されている。
被監視者側携帯電話機２１の音声信号出力端子ｓ１は音声信号入力端子ｓ２に接続され、被監視者側携帯電話機２１の音声信号入力端子ｓ３は音声信号出力端子ｓ４に接続されている。端子ｃｃは操作ボックス２３の端子ｄｄに接続されている。
【００３９】
インタフェースボックス２４は、図３に示すように動画信号増幅器２４１と音声信号増幅器２４２とを内蔵している。動画信号増幅器２４１は、動画信号Ｇ１（被監視者側携帯電話機１２が監視者側携帯電話機１１から受信した動画信号）を、動画信号入力端子ｖ２を介して被監視者側携帯電話機１２から受け取り、必要に応じてこれを増幅し、動画信号出力端子ｖ３を介して外付けディスプレイ２２に送出する。なお、場合により、動画信号増幅器２４１による増幅器を使用せず、そのまま出力端子ｖ３を介して外付けディスプレイ２２に送出するようにしても良い。
【００４０】
なお、ＤＣ電源２４３（図６参照）により直流電力に変換された直流電力は、動画信号増幅器２４１にも適宜定格で供給される。
【００４１】
図６により、監視システム１ｂの動作を説明する。
被監視者側携帯電話機２１が監視者側携帯電話機１１からの着信を受けたときは、被監視者側携帯電話機２１は監視モードで動作する。
また、被監視者側携帯電話機２１は、端子ｄｄ，ｃｃ、監視モード動作端子ｑを介してスイッチ２３３から監視モードアクティブ化信号ＳＤＣを受け取ったときは、監視者側携帯電話機１１に発呼するとともに監視モードで動作する。
【００４２】
監視モードでの動作に際し、被監視者側携帯電話機２１は、外付けマイクロフォン２３１からの音声信号Ｐ２を端子ｄｄ，ｃｃ、音声信号出力端子ｓ４、音声信号入力端子ｓ４を介して受け取り、これを監視者側携帯電話機１１に送出するとともに、搭載したカメラＣからの動画信号Ｇ２を監視者側携帯電話機１１に送出する。
【００４３】
また、被監視者側携帯電話機２１は、受信した監視者側携帯電話機１１からの音声信号Ｐ１を、音声信号出力端子ｓ１、音声信号入力端子ｓ２を介して外付けスピーカ２４０に送出するとともに、受信した監視者側携帯電話機１１からの動画信号Ｇ１を、動画信号出力端子ｖ１、動画信号入力端子ｖ２、動画信号出力端子ｖ３を介して外付けディスプレイ２２に送出する。
【００４４】
以上述べたように、監視システム１ａ，１ｂでは、監視者側Ａの監視者が必要時に監視モードをアクティブにできることはもちろん、被監視者側Ｂの高齢者や子供も必要時に監視モードをアクティブにできる。したがって、監視者と被監視者（高齢者や子供）とは、いつでも互いに顔や姿を見ながらリアルタイムでの会話ができる。
【図面の簡単な説明】
【００４５】
【図１】本発明のインタラクティブ監視システムを示す構成図である。
【図２】本発明のインタラクティブ監視システムの被監視者側携帯電話機とインタフェースボックスとを示す部分図である。
【図３】図１の監視システムの動作を示す説明図である。
【図４】図１と異なる本発明のインタラクティブ監視システムを示す構成図である。
【図５】図４のインタラクティブ監視システムの被監視者側携帯電話機とインタフェースボックスとを示す部分図である。
【図６】図４の監視システムの動作を示す説明図である。
【符号の説明】
【００４６】
１ａ，１ｂ  監視システム
１１  監視者側携帯電話機
１２，２２  外付けディスプレイ
２１  被監視者側携帯電話機
２３  操作ボックス
２４  インタフェースボックス
２００  携帯電話回線
２３１  外付けマイクロフォン
２４０  外付けスピーカ
２３３  スイッチ
２４１  動画信号増幅器
２４２  音声信号増幅器
２４３  ＤＣ電源
２４４  コンセント
Ａ  監視者側
Ｂ  被監視者側
Ｃ  カメラ
Ｄ  ディスプレイ
Ｇ１，Ｇ２  動画信号
Ｈ  ホルダー
Ｍ  マイクロフォン
Ｐ１，Ｐ２  音声信号
Ｓ  スピーカ
ＳＤＣ  監視モードアクティブ化信号
ｃｃ，ｄｄ  端子
ｐ  電源端子
ｑ  監視モード動作端子
ｓ１，ｓ４  音声信号出力端子
ｓ２，ｓ３  音声信号入力端子
ｖ１，ｖ３  動画信号出力端子
ｖ２  動画信号入力端子
【図３】
2007027911.tif 000003
【図６】
2007027911.tif 000004
【図１】
2007027911.tif 000005
【図２】
2007027911.tif 000006
【図４】
2007027911.tif 000007
【図５】
2007027911.tif 000008